(57)【要約】      （修正有）【課題】  机天板上の棚装置に形状が非対称の分離本立てを着脱可能且つ左右移動可能に装着して使い勝手を良くする。【解決手段】  左右の主側板６と下棚板１０と上下背板８、９とが備えられた下棚部４を机天板３上に着脱可能に取付けし、各分離本立て７（７′）の背面には、下背板９の上端縁のレール部１７に上方から着脱可能且つ左右移動可能に被嵌する複数のフック体１５をそれぞれ備える。中間棚板２５の左右両側部を前記分離本立て７（７′）の側面及び主側板６の側面との間で受け具２６を介して着脱可能に連結できるように構成されている。【選択図】      図１８
2005052296.tif 000002
【特許請求の範囲】
【請求項１】
左右の主側板と棚板と背板とが備えられた棚装置を机天板上に着脱可能に取付けした机において、
前記棚装置における背板の前面に配置する複数の分離本立てを、少なくとも前記背板に対して係合手段を介してそれぞれ着脱可能に連結し、分離本立ての側板間もしくは分離本立ての側板と前記主側板の内面との間に中間棚板を着脱可能に装着したことを特徴とする棚装置を備えた机。
【請求項２】
前記棚装置における左右の主側板に近接して左右に一対の分離本立てを配置し、該一対の分離本立ては非同一に形成され、前記一対の分離本立ての左右配置箇所を取り替え可能となるように構成したことを特徴とする請求項１に記載の棚装置を備えた机。
【請求項３】
前記係合手段は、前記棚装置における少なくとも背板と、前記分離本立ての背面板とを両板厚方向に連結するねじ手段であることを特徴とする請求項１または２に記載の棚装置を備えた机。
【請求項４】
前記係合手段は、前記背板に設けられた被係合部と、該被係合部に対して着脱可能に係合するために前記分離本立ての背面に設けられた係合体とからなることを特徴とする請求項１または２に記載の棚装置を備えた机。
【請求項５】
前記背板の被係合部は、前記背板の上端縁に上向きに開放され、または前記背板の前面に開放されるように形成された直線状のレール部であり、前記係合体を前記レール部に対して摺動可能に被嵌させて分離本立てを左右移動可能に構成したことを特徴とする請求項４に記載の棚装置を備えた机。
【請求項６】
前記背板の被係合部は、前記背板の裏面まで貫通する孔または前記背板の上端縁に上向きに開放された凹部であり、係合体は前記被係合部に対して着脱可能に嵌合するフック体であることを特徴とする請求項４に記載の棚装置を備えた机。
【発明の詳細な説明】
【技術分野】
【０００１】
本発明は、主として学習机に使用される棚装置、及びこの棚装置を備えた机に関するものである。
【背景技術】
【０００２】
児童用の学習机の机天板の上面にはその後部側に棚装置を着脱自在に立設したものが、例えば、特許文献１等において公知である。
【０００３】
また、この棚板装置には、一般に幅寸法の小さい２つの本立てが左右移動可能に設けられていることが前記特許文献１や特許文献２等において知られている。前記特許文献２の構成では、棚装置の主背板の前面に下向き開放の上嵌入溝を有する案内レールを固着し、前記主背板と、下方の正面ボードとの間の裏板取付け突起により上向き開放する下嵌入溝を形成し、この上下嵌入溝の間に、前記移動可能な本立ての背板の上下端縁を挿入したものである。
【特許文献１】実用新案登録第２５９３４８７号公報
【特許文献２】特開平１０−２８６１２７号公報
【発明の開示】
【発明が解決しようとする課題】
【０００４】
しかしながら、前記先行技術の構成では、本立てを棚装置から簡単に取り外すことが困難であったから、各本立てにその収納物品を入れたまま、左右に配置替えすることができない。また、左右の本立ての形状が非対称であるときに、右利き、左利きのユーザーのために、前記左右の本立ての配置を入れ替えることも困難であった。
【０００５】
さらに、左右の本立ての間に中間棚板を着脱可能に装着した構成も知られていたが、前記一方の本立てを取り除いた状態で、他方の本立ての側面と棚装置の側面との間に、前記中間棚板を配置替えすることもできなかった。
【０００６】
本発明は、前記従来の構成の欠点に鑑み、幅の広い棚装置内に、幅寸法の小さい複数の本立てを分離可能とし、且つ中間棚板の配置も棚装置の中央、左右両側のいずれにも配置替え可能とし、さらに、前記複数の本立ての形態を非対称もしくは非同一に形成して、ユーザの使用勝手を向上できるようにした棚装置を提供することを目的とするものである。
【課題を解決するための手段】
【０００７】
請求項１の発明に係る棚装置を備えた机は、左右の主側板と棚板と背板とが備えられた棚装置を机天板上に着脱可能に取付けした机において、前記棚装置における背板の前面に配置する複数の分離本立てを、少なくとも前記背板に対して係合手段を介してそれぞれ着脱可能に連結し、分離本立ての側板間もしくは分離本立ての側板と前記主側板の内面との間に中間棚板を着脱可能に装着したものである。
【０００８】
請求項２に記載の発明は、請求項１に記載の棚装置を備えた机において、前記棚装置における左右の主側板に近接して左右に一対の分離本立てを配置し、該一対の分離本立ては非同一に形成され、前記一対の分離本立ての左右配置箇所を取り替え可能となるように構成したものである。
【０００９】
請求項３に記載の発明は、請求項１または２に記載の棚装置を備えた机において、前記係合手段は、前記棚装置における少なくとも背板と、前記分離本立ての背面板とを両板厚方向に連結するねじ手段としたものである。
【００１０】
請求項４に記載の発明は、請求項１または２に記載の棚装置を備えた机において、前記係合手段は、前記背板に設けられた被係合部と、該被係合部に対して着脱可能に係合するために前記分離本立ての背面に設けられた係合体とからなるものである。
【００１１】
請求項５に記載の発明は、請求項４に記載の棚装置を備えた机において、前記背板の被係合部は、前記背板の上端縁に上向きに開放され、または前記背板の前面に開放されるように形成された直線状のレール部であり、前記係合体を前記レール部に対して摺動可能に被嵌させて分離本立てを左右移動可能に構成したものである。
【００１２】
請求項６に記載の発明は、請求項４に記載の棚装置を備えた机において、前記背板の被係合部は、前記背板の裏面まで貫通する孔または前記背板の上端縁に上向きに開放された凹部であり、係合体は前記被係合部に対して着脱可能に嵌合するフック体である。
【発明の作用・効果】
【００１３】
請求項１に記載の発明の構成によれば、各分離本立てを棚装置の背板に対して着脱可能（分離可能）であるから、各分離本立ての配置を容易且つ任意に変更させることができる。
【００１４】
例えば、右利きの人と左利きの人とでは、机天板３上の物品や机天板３の下のワゴン状脇机の使い易い配置（使い勝手）が左右で異なることが多い。その場合、分離本立てに収納している物品を入れ替えることなく、その収納されている物品ごと分離本立ての配置位置を左右に入れ替える作業が至極簡単にできる。
【００１５】
また、中間棚板を、前記一対の分離本立てとの間及び棚装置の主側板との間で受け具等にて着脱可能に連結することにより、一方の分離本立てを取外すか、もしくは２つの分離本立てを棚装置の片方に寄せ集め、もしくは他方の分離本立てを適宜左右に移動させ、当該分離本立ての側板と一方の主側板との間に前記中間棚板を着脱可能に取付けするというように、分離本立てと中間棚板との配置替え、もしくは中間棚板を除去した空間に、コンピュータ及び液晶などの表示装置をセットすることもできる。このようにして、少ない構成部品の組み合わせであっても、机天板上の棚装置の使い勝手を向上させることができるという効果を奏する。
【００１６】
請求項２の発明によれば、請求項１に記載の発明による作用効果に加えて、左右の分離本立ての形状や寸法等の形態を同じでないものに形成して、棚装置の左右位置に対する前記左右の分離本立ての配置をユーザーの便利なように配置替えすることが簡単にできるという効果を奏する。
【００１７】
請求項３の発明によれば、請求項１また２に記載の発明による作用効果に加えて、係合手段がネジ手段であるため、構成が簡単であり、部品点数も少なくコストの削減に寄与できる。
【００１８】
請求項４に記載の発明によれば、前記係合手段は、前記背板に設けられた被係合部と、該被係合部に対して着脱可能に係合するために前記分離本立ての背面に設けられた係合体とからなるものであるから、棚装置の前方から目立たないようにして分離本立てを着脱可能に構成することができる。
【００１９】
請求項５に記載の発明によれば、前記背板の被係合部は、前記背板の上端縁に上向きに開放され、または前記背板の前面に開放されるように形成された直線状のレール部であり、前記係合体を前記レール部に対して摺動可能に被嵌させて分離本立てを左右移動可能に構成したものであるから、請求項３に記載の発明による作用効果に加えて、フック体が背板の上端縁に沿って摺動できるから、棚装置の左右いずれの位置も簡単に移動させることもできるという効果を奏する。
【００２０】
請求項６に記載の発明によっても、棚装置の前方から目立たないようにして分離本立てを着脱可能に構成することができるという効果を奏する。
【発明を実施するための最良の形態】
【００２１】
次に、本発明の最良の実施形態及び実施例を図面に基づいて説明する。図１〜図９は、第１実施形態を示しており、図１は正面図、図２（ａ）は左側面図、図２（ｂ）は図１のIIb −IIb 線矢視断面図、図３（ａ）は図１の IIIa −IIIa線矢視断面図、図３（ｂ）は図１の IIIb −IIIb線矢視断面図、図４は背面側の一部切欠き斜視図、図５は分離本立ての背面側から見た斜視図、図６は要部平面図、図７は図６のVII −VII 線視一部切欠き側断面図、図８は上棚部を外し、且つ１つの分離本立てのみにした状態の正面図、図９は他方の分離本立てを取り外し、１つの分離本立てのみを移動可能にした状態の正面図である。
【００２２】
棚装置１は、机（学習机）２の天板３の後部に載置されており、下棚部４と上棚部５からなっている。下棚部４は、左右一対の主側板６と、左右主側板６の背面側を連結する上下一対の背板８、９と、左右主側板６の内面間を連結する下棚板１０と、この下棚板１０に載って左右移動可能で且つ前記一方の背板９に対して着脱可能、つまり分離可能な１乃至複数の分離本立て７等を備えている。そのために、前記下棚板１０の上面に下端が載置される各分離本立て７を前記棚装置の背板９に対して着脱可能に係合する係合手段を備えたものである。
【００２３】
第１実施例では、分離本立て７は同じ形態、寸法のものを２つ使用する。各分離本立て７は、左右の側板１１と、小棚板１２と、前記左右一対の側板１１、１１の間の背面側を連結する背面板としての上下の小背板１３ａ，１３ｂと、小棚板１２の下面側に配置する抽斗１４とを備えており、棚装置１を取り外した後、もしくは棚装置１から分離して独立して使用することができる。
【００２４】
前記下棚板１０が下背板９の前面から突出する寸法Ｄ１は、分離本立て７の側板１１の奥行き寸法Ｄ２の略半分程度であり（図３（ａ）及び図６参照）、第１実施形態ではＤ１≒１０ｃｍに設定されている。
【００２５】
前記係合手段の第１実施形態では、前記下背板９の被係合部は、前記下背板９の上端縁に上向きに開放された直線状のレール部１７（図３、図４、図６及び図８参照）、係合体としてのフック体１５を前記レール部に対して摺動可能に被嵌させて分離本立てを左右移動可能に構成したものである。
【００２６】
第１実施形態では、各分離本立て７における上下の背面板（小背板）１３（図３〜図８の実施例では、符号１３ａ、１３ｂを使用する）のうち、下小背板１３ｂの背面側には、金属製または合成樹脂製の下向き開放型（開放の前後寸法Ｄ３）のフック体１５をねじ１６等にて固定する（図６及び図７参照）。
【００２７】
他方、前記下背板９の上端縁には、その全長にわたってその板厚さの一部を段付き状に形成した前後厚さＤ４のレール部１７を有し、このレール部１７に前記フック体１５を上方から被嵌する（図６及び図７参照）。この場合、レール部１７の厚さＤ４より前記フック体１５の開放前後寸法Ｄ３が若干大きく設定されている。これにより、各分離本立て７は、その左右両側板１１の下面（下端）が下棚板１０の上面に載った状態で、左右方向に移動可能となるとともに、分離本立て７の前後方向の重心位置が前寄りであっても、前記フック体１５がレール部１７から外れることなく被嵌した状態で摺動可能となる。
【００２８】
なお、下棚部４における下背板９の上端縁から上背板８の下端縁までの上下方向の隙間寸法が前記フック体１５の上下寸法よりはるかに大きく設定されていることにより、分離本立て７を持ち上げるだけで、前記フック体１５の箇所が前記レール部１７から簡単に外れ、各分離本立て７を下棚部４から分離することができ、各分離本立て７に収容した物品を入れ替えることなく、左右の分離本立て７の配置替えも至極簡単にできるものである。
【００２９】
前記レール部１７の変形例として、下背板９の上端縁の板厚さそのままのもの（前記段付き部がないもの）であっても良い。
【００３０】
分離本立て７における左右両側板１１の間を左右に仕切るための仕切り板１９の後面には、図１、図３〜図８に示すように、合成樹脂製のスライダ体２０が着脱可能な連結手段２２を介して固定される。このスライダ体２０の上下端部は互いに上下方向に開放される溝部が仕切り板１９の後面との間で形成されるように突起部２０ａが一体的に形成されている。これにより、分離本立て７の前面側に仕切り板１９を立て、背面側から上下の背面板（小背板）１３との横長の隙間に前記スライダ体２０を嵌め入れ、前記上下の突起部２０ａが前記上下の背面板（小背板）１３ａ、１３ｂの背面側に位置するようにして連結手段２２を介して固定すれば、この仕切り板１９はその下面が小棚板１２の上面に沿って摺接した状態でも左右に移動できるものである。
【００３１】
なお、下棚部４の下背板９には、図１等に示されるように、前記下棚板１０より下方で、机天板３より上方部位に、コードやケーブルを挿通する穴２３が空いている。また、主側板６の内面には、コンセントボックス２４を固定し、該コンセントボックス２４に接続するコードを前記穴２３を通して棚装置１の背面側に導くことができ、机天板３の上面と下棚板１０の下面との小さい隙間空間をコードの収納空間としても利用できる。
【００３２】
上記の実施例において、図１、図２（ｂ）及び図６に示すように、左右の分離本立て７、７を左右の主側板６、６の内面に当接した状態で、この左右の分離本立て７、７の間に中間棚板２５を着脱可能に装着するには、分離本立て７の左右両側板１１の外面に着脱可能に嵌め込んだ水平方向の線材製受け具２６に対して、中間棚板２５の左右両端面に水平の溝２７を背面端まで凹み形成し、この溝２７を前記線材製受け具２６に差し込むように、中間棚板２５を水平に押し込めばよい。なお、前記左右両側板１１の外面に前後それぞれ２箇所に支持ピン（図示せず）状の受け具を着脱可能に突出させ、この支持ピンに中間棚板２５を着脱可能に載置しても良い。これらの受け具２６を前記側板１１の高さの異なる箇所に取付け替え可能に装着すれば、中間棚板２５の取付け高さを変更可能とすることができる。また、前記受け具２６を前記側板１１の高さの異なる複数箇所に装着すれば、中間棚板２５を複数段に配置できる。また、前述のように一方の分離本立て７を取外し、下棚板１０の上方に、他方の分離本立て７を適宜左右に移動させ、当該分離本立て７と一方の主側板６との間に前記中間棚板２５を着脱可能に取付けすることもできる。
【００３３】
図４及び図６に示すように、左右主側板６と上下の背板８、９とは平面視Ｌ形のブラケット２８をねじ止めすることにより補強しても良い。
【００３４】
上棚部５は、左右の主側板３０と、棚板３１と、棚板３１を挟んで上下に配置した上背板３２及び下背板３３とを備え、仕切り板３４は前記分離本立て7 における仕切り板１９の装着部と同様のスライダ体２０を介して前記上背板３２及び下背板３３に沿って左右移動可能に配置されている。
【００３５】
この上棚部５は下棚部４の上端に対して積み重ね可能であり、且つ着脱可能である。その連結手段３５は、前記連結手段２２と同様であり、例えば主側板６の上端に埋め込みボルト３７の係止頭を突出させる。主側板３０の下面には、前記係止頭が挿入できる挿通穴を穿設し、前記主側板３０の内側面には、前記挿通穴に連通し且つカム溝が内径部に形成され、外径が円形の回動締結体３６が回転可能に嵌まる取付け穴を穿設する。前記カム溝に埋め込みボルト３７の係止頭を係止した状態で、回動締結体３６を回動させて、埋め込みボルト３７をその軸方向に張力を与えることで、上下棚部４、５は強固に連結できるものである。
【００３６】
灯具４０は、中空状の固定支柱４１と、これに昇降自在且つ昇降位置での固定可能に嵌まった昇降支柱４２と、昇降支柱４２から前向きに延びる固定アーム４３と、固定アーム４３に前後摺動自在に嵌まった可動アーム４４と、可動アーム４４に取り付いたランプ部４５とを備えている。ランプ部４５には、ランプの一例として、直管状の蛍光灯を取付けている。ランプ部４５の前面には点灯用のスイッチ４６を設けている。また、ランプ部４５は上下向きの姿勢に回動させ得る。
【００３７】
そして、前記固定支柱４１は、下棚部４の背面側に立設するもので、実施形態では、上下の背板８、９に対して金属製または合成樹脂製の取付け具４７を介して固定する。その場合、図４及び図７に示すように、上下の背板８、９の背面と適当な隙間を付与するための基部材４７ａと挟み付け部材４７ｂとの間に固定支柱４１を挟んだ状態で２本のねじ４８にて基部材４７ａと挟み付け部材４７ｂとを背板８、９に固定する。この構成により、固定支柱４１の前面側で横移動する分離本立て７のフック体１５の通過が固定支柱４１により邪魔されることがない。
【００３８】
灯具４０のための固定支柱４１は、下棚分離本立て４の背板８、９の背面に固定しても良い。独立させて机天板３の後端縁に、クランプ式等の支持手段（図示せず）で固定支柱４１を机の２の天板３に固定しても良い。その場合、棚装置１を除去して灯具４０のみを使用することが可能となる。
【００３９】
灯具４０の固定支柱４１を棚装置１の背板８、９に取付ける構造の別例としては、固定支柱４１の前面に下向きの係止爪を上下に適宜間隔で複数個設ける一方、背板８、９の背面に後向き突設した補強板に、前記係止爪を落し込みできる係合穴が形成されたものである。
【００４０】
さらに別の実施形態では、図示しないが、固定支柱４１の前面に頭付きの係止ピンを設け、背板８、９の背面に突設した補強板には、前記係止ピンの頭が嵌まり得るダルマ形の係合穴を形成している。係止ピンを背板８、９の背面に突設し、該係止ピンの頭が嵌まる円形の凹所を固定支柱４１の前面に、形成しても良い。
【００４１】
なお、下棚部４を机天板３に固定するには、従来から公知の構造の側面視コ字型等の左右の金具４９を主側板６と机天板３とに跨がって装着することにより着脱可能に連結できる。
【００４２】
以上の構成において、図８に示すように、前記下棚部４から上棚部５を取り外した状態で、前記下棚部４の背面側に固定支柱４１を立設し、ランプ部４５を上背板８の上方から前に臨ませる。次いで、前記連結手段３５を介して上棚部５を下棚部４の左右主側板６、６の上端に連結する（図１及び図９参照）。
【００４３】
そして、各分離本立て７は、下棚部４の前方の空間から配置すれば良く、その場合、下背板９の上端縁（レール部１７）に前記フック体１５を上方から被嵌させ、分離本立て７の左右両側板１１、１１の下端を下棚板１０に載せるだけで良く、分離本立て７は、その左右両側板１１の下面（下端）が下棚板１０の上面に載った状態で、左右方向に移動可能となるとともに、分離本立て７の前後方向の重心位置が前寄りであっても、前記フック体１５がレール部１７から外れることもない。分離本立て７は下棚板１０から若干持ち上げた状態で左右の適宜位置に移すことも勿論可能である。従って、各分離本立て７に収容した物品を入れ替えることなく、左右の分離本立て７の配置替えも至極簡単にできるものである。
【００４４】
このようにして、分離本立て７の位置を下棚部４の主側板６、６の間の任意の位置に移動させて、使用者の使い勝手を良くすることができる。例えば、図８もしくは図９のように、分離本立て７を左寄り部位に位置させたり、分離本立て７を外した後には、下棚板１０の上方で下棚部４の右側などに大きい空間を形成することができる。その空間に、図示しないがパーソナルコンピュータに接続した液晶パネルなどの表示装置を机天板３上もしくは前記下棚板１０上にセットすることができる。また、前記奥行き寸法の小さい下棚板１０上に文庫本等の奥行き寸法の短い本等を置いた状態で中間棚板２５に大判の本等を立て掛けて載せることも可能である。さらに、前記奥行き寸法の小さい下棚板１０上に文房具入れなどの小物入れを載置して、それに小物をいれておけば、机天板３上の整理整頓を効率良く行える。このようにして、机天板１の上面前方部位を広く利用できる。
【００４５】
なお、前記下棚板１０の前縁位置が、分離本立て７の奥行き方向の重心より前方位置で、且つ分離本立ての前縁よりの後方になるように、下棚板１０の奥行き寸法Ｄ１を設定しても良い。また、図１０（ａ）及び図１０（ｂ）に示すように、下棚板１０の前に追加下棚板１０ａを着脱可能に構成しても良い。その場合、下棚板１０の板厚内には背面側及び左右両側面に筒状（鬼目）ナット５１を埋設する一方、下棚部４における主側板６、６の外側から、及び、背板９の背面側から各々ネジ（ビス）５２を、主側板６、６及び背板９に貫通した取付け孔を介して挿入し、前記筒状（鬼目）ナット５１に螺着する。追加下棚板１０ａの板厚内には左右両側面に筒状（鬼目）ナット５１を埋設し、ネジ（ビス）５２を、前記背板９に貫通した取付け孔を介して挿入し、前記筒状（鬼目）ナット５１に螺着する。このとき、下棚板１０と追加下棚板１０ａの両上面が同一平面となるように配置する。前記追加下棚板１０ａは、前記上背板８等、背板の一部を取り外して流用しても良い。
【００４６】
このように下棚板１０と追加下棚板１０ａとにより当該棚部分の奥行き寸法を大きくすると、Ａ４版の書物や、コンピュータにおける液晶表示装置等の奥行き寸法の大きい物品を余裕をもって載置することができる。
【００４７】
さらに、図１の二点鎖線で示すように、左右の分離本立て７、７の間であって、下棚板１０の上方の空間に時間割表や従来から周知の学習ボードを背板８、９にもたれさせて立て掛けることも可能である。
【００４８】
前記下棚部４における上背板８の上端縁を水平状に形成し、その上端部にレール部１７を設ける等して、分離本立て７の背面に突設したフック体１５を前記上背板８に上方から被嵌させる構成であっても良い。また、棚装置の仕切構造は必要に応じて自由に設定できる。例えば、棚板としては下棚板１０のみを設けて、下棚板の下方を大きな空間として、これにパソコンなとを収納することも可能である。
【００４９】
図１１は前記第１実施形態の変形例であり、下棚部４と上棚部５とが分離可能で、下棚部４の下棚板１０に載置する分離本立て７′が１つの場合である。この実施例における分離本立て７′は前記第１実施形態の分離本立て７に比べて横幅（左右幅）寸法が若干広く、仕切り板１９が２枚であり、また抽斗１４が左右２列に配置されている。そして、分離本立て７′の片方の側板１１と下方の主側板６との間に、中間棚板２５を着脱可能に装着することができる。その場合の取付け手段は前記線材受け具２６と溝２７等である。この中間棚板２５を２段にすることもできる（図１１の二点鎖線参照）。その他の構成は第１実施形態と同じであるので、同じ部品には同じ符号を付して、詳細な説明は省略する。また、この変形例における作用効果も第１実施形態と同じである。
【００５０】
図１２及び図１３に示す係合手段の第２実施例では、被係合部としての直線状のレール部１７′は、前記下背板９もしくは前記上背板８の間、または上下に分離していない一枚の背板）の前面にその長手方向（左右方向の全長にわたり、もしくは長手方向の一部に左右方向に長い開口部５３が開放されるように形成されたものであり、実施例では、合成樹脂製、またはアルミ等の金属材料の押出成形品を利用する。この直線状のレール部１７′には、前記開口部５３の下には上向きの係止片５４が一体的に形成されている。従って、分離本立て７（７′）を背板9 の前方向のやや上方向から前記背面板１３の裏面に固着した下向きのフック体１５の爪部を前記レール部１７′の開口部５３内に簡単に嵌め入れ、又逆に取り外すこともできる。そして、当該分離本立て７（７′）は、その左右両側板１１の下面（下端）が下棚板１０の上面に載った状態で、左右方向に移動可能となるとともに、分離本立て７（７′）の前後方向の重心位置が前寄りであっても、前記フック体１５がレール部１７から外れることなく被嵌した状態で摺動可能となる。なお、レール部１７′は一枚の背板８（９）の前面に突出するように設けても良い。
【００５１】
図１４は係合手段の第３実施例を示す。この実施例では、前記下棚部４における厚さＤ４′の上背板８または下背板９の上端縁に、被係合部としての上向き開放状に凹部（切欠き部）５０を形成し、分離本立て７（７′）の背面から後向きに突設した係合体としての下向きフック体１５を前記凹部５０に上方から嵌合させる。その状態でも、分離本立て７（７′）の下端、例えば側板１１の下端面が下棚板１０の上面に載り、分離本立て７（７′）の荷重を下棚板１０で支持することができるように構成されているものである。また、第３実施例では、凹部５０に開口幅Ｄ３（＞Ｄ４′）のフック体１５が嵌合することにより、分離本立て７（７′）の左右移動を規制し、または左右位置決めするものであり、前記凹部５０は上背板８または下背板９の上端縁の長手方向の所定箇所に複数設けることができる。図１４に示すように、左右一対のフック体１５の左右配置間隔（Ｌ１）に対応させて、３つ以上の凹部５０を同じ配置間隔（Ｌ１）で設けることにより、この一対のフック体１５の配置間隔毎に下棚部４の左右方向に分離本立て７（７′）を配置替えすることができる。また、下棚部４の左右両端に近接する位置からその中途位置にまで、前記フック体１５の配置間隔毎に分離本立て７（７′）を配置替えできる。
【００５２】
図１５は係合手段の第４実施例を示す。この実施例では、前記下棚部４における厚さＤ４′の上背板８または下背板９に被係合部としての背板８（９）の前面から裏面に貫通する係合孔５５を穿設する。一方、分離本立て７（７′）の背面から後向きに突設した係合体としての下向きフック体１５を前記係合孔５５に上方から嵌合させる。その状態でも、分離本立て７（７′）の下端、例えば側板１１の下端面が下棚板１０の上面に載り、分離本立て７（７′）の荷重を下棚板１０で支持することができるように構成されているものである。また、第４実施例では、係合孔５５に開口幅Ｄ３（＞Ｄ４′）のフック体１５が嵌合することにより、分離本立て７（７′）の左右移動を規制し、または左右位置決めするものであり、前記係合孔５５は上背板８または下背板９の長手方向の所定箇所に複数設けることができる。図１５に示すように、左右一対のフック体１５の左右配置間隔（Ｌ１）に対応させて、３つ以上の係合孔５５を同じ配置間隔（Ｌ１）で設けることにより、この一対のフック体１５の配置間隔毎に下棚装置４の左右方向に分離本立て７（７′）を配置替えすることができる。
【００５３】
図１６（ａ）及び図１６（ｂ）は係合手段の第５実施例を示す。この実施例では、少なくとも前記下棚部４における上背板８または下背板９と、分離本立て７（７′）の背面板１３とを、両板厚さ方向に連結するネジ手段であり、この実施例では、背面板１３の板厚内には背面側及び左右両側面に埋設用の筒状（鬼目）ナット５６を埋設する一方、下棚部４における背板８（９）の背面側から各々ネジ（ビス）５７を、背板８（９）に貫通した取付け孔を介して挿入し、前記筒状（鬼目）ナット５６に螺着する。なお、分離本立て７（７′）を下棚部４の一方の主側板６の内面に分離本立て７（７′）の一方の側板１１を密接して配置する場合には、前記のネジ手段に加えて（もしくは替えて）、前記一方の側板１１に筒状（鬼目）ナット５６を埋設する。一方の主板６に貫通した取付け孔を介してネジ（ビス）５７を外側から挿入し、前記筒状（鬼目）ナット５６に螺着する（図１６（ｂ）参照）。
【００５４】
図７に示すように、前記レール分離本立て１７とフック体１５との係合手段に加えて、分離本立て７（７′）における小棚板１２より下方で抽斗１４の奥側に位置する背面板１３ｃに鬼目ナット５６を埋設し、背板９の裏面側からネジ（ビス）５７を挿入し、前記鬼目ナット５６に螺着するように構成すれば、抽斗１４付きの分離本立て７（７′）の連結強度が増大でき、且つ抽斗１４の存在でネジ手段を棚装置１の前方から見えなくして外観が向上する。
【００５５】
なお、図１７に示すように、前記ネジ手段の変形例として、前記背板８（９）に埋設用の筒状（鬼目）ナット５６を埋設し、分離本立て７（７′）の背面板１３に穿設（貫通）された取付け孔を介して背面板１３の前方向からネジ（ビス）５７を挿入し、前記筒状（鬼目）ナット５６に螺着する構成であっても良い。
【００５６】
これらの第５実施例の構成（ネジ手段）によれば、ネジ（ビス）５７と筒状（鬼目）ナット５６だけで良いから、構造が嵩張らないという効果を奏する。
【００５７】
図１８〜図２０は第２実施形態を示す。この実施形態では、棚装置１は、机（学習机）２の天板３の後部に載置されており、下棚部４と上棚部５からなっている。下棚部４は、左右一対の主側板６と、左右主側板６の背面側を連結する上下一対の背板８、９と、前記一方の背板９に対して着脱可能、つまり分離可能な複数の分離本立て７（７′）及び６０と、中間棚板２５とを備えている。また、上棚部５は下棚部４に対して装着及び分離可能に構成されていることや、灯具４０の支柱部分が下棚部４の裏面側に配置され、ランプ部４５が、下棚部４と上棚部５との隙間から前方に臨むように構成されている点は、前記第１実施形態と同じ構成であるので、第１実施形態と同じ構成については同じ符号を付して、詳細な説明は省略する。
【００５８】
第２実施形態では、下棚部４、ひいては棚装置１の使い勝手を良くするために、左右の主側板と棚板と背板とが備えられた棚装置を机天板上に着脱可能に取付けした机において、前記棚装置における背板の前面に配置する複数の分離本立てを、少なくとも前記背板に対して係合手段を介してそれぞれ着脱可能に連結し、分離本立ての側板間もしくは分離本立ての側板と前記主側板の内面との間に中間棚板を着脱可能に装着するものであり、また、前記棚装置における左右の主側板に近接して左右に一対の分離本立てを配置し、該一対の分離本立てはその形状及び寸法のいずれか一方もしくは両方が同一でない（異なる）ものや非対称に形成され、前記一対の分離本立ての左右配置箇所を取り替え可能となるように構成するものである。即ち、分離本立て７（７′）及び６０はその形状（形態）寸法が同じでないか、非対称である。そして、分離本立て７（７′）及び６０と中間棚板２５はそれぞれ着脱可能であり、且つ、下棚部４の左右位置等に配置替え可能に構成されている。形態等が同一でない、もしくは非対称である態様としては、分離本立ての色彩、模様等も含まれる。
【００５９】
また、この実施形態では前記第１実施形態で必須であった下棚板１０は任意の構成であり、基本的には下棚板１０は配置しなくてよい。つまり、第２実施形態における下棚板１０には分離本立て７（７′）及び６０の下端が載置されず、分離本立ての荷重が作用しない。
【００６０】
第２実施形態では、分離本立て７は左右の側板１１と、小棚板１２と、前記左右一対の側板１１、１１の間の背面側を連結する背面板１３としての上下の小背板１３ａ，１３ｂと、小上下の小背板１３ａ，１３ｂにスライダ体２０を介して左右に移動可能な仕切り板１９と、棚板１２の下面側に配置する抽斗１４と、を備えており、分離本立て７′は仕切り板１９が存在しない点で相違だけである。これら分離本立て７（７′）は棚装置１を取り外した後、もしくは棚装置１から分離して独立して使用することができる。
【００６１】
分離本立て６０は、左右の側板６１と、小棚板６２と、側板１１、１１の間の背面側を連結する背面板としての上下の小背板６３と、スライダ体２０を介して左右に移動可能な仕切り板６４とからなる。分離本立て６０の左右方向の寸法Ｗ３及び奥行き寸法Ｄ７は、前記分離本立て７（７′）の左右方向の寸法Ｗ２及び奥行き寸法Ｄ６より大きい。分離本立て６０の左右方向の寸法Ｗ３は下棚部４の左右方向の寸法Ｗ１の半分より小さく設定されている。
【００６２】
分離本立て７（７′）、６０の下棚部４に対する着脱可能な構成（係合手段）は、基本的には、第１実施形態と同じであり、下小背板１３ｂ（６３）の背面側には、金属製または合成樹脂製の下向き開放型（開放の前後寸法Ｄ３）のフック体１５をねじ等にて固定する（図２１参照）。
【００６３】
他方、前記下背板９の上端縁には、その全長にわたってその板厚さに等しく形成した前後厚さＤ４′のレール部１７′を有し、このレール部１７′に前記フック体１５を上方から被嵌する（図１８及び図２１参照）。この場合、レール部１７′の厚さＤ４′より前記フック体１５の開放前後寸法Ｄ３が若干大きく設定されている。なお、レール部は、下背板９の板厚さの一部を段付き状に形成した形態であっても良いし、前記図１２及び図１３の実施例のごとく背板８（９）の前面に開口部を有するレール部材であっても良い。これらにより、各分離本立て７（７′）は、その前後方向の重心位置が前寄りであっても、前記フック体１５がレール部１７から外れることなく被嵌した状態で下棚部４の左右方向に摺動可能となる。
【００６４】
下棚部４における下背板９の上端縁から上背板８の下端縁までの上下方向の隙間寸法が前記フック体１５の上下寸法よりはるかに大きく設定されていることにより、分離本立て７（７′）、６０を持ち上げるだけで、前記フック体１５の箇所が前記レール部１７から簡単に外れ、各分離本立て７を下棚部４から分離することができ、各分離本立て７（７′）、６０に収容した物品を入れ替えることなく、左右の分離本立て７（７′）、６０の配置替えも至極簡単にできるものである。
【００６５】
中間棚板２５は、図１８及び図１９に示すように、左右の分離本立て７（７′）と６０とをそれぞれ左右の主側板６、６の内面に当接した状態で、この左右の分離本立て７（７′）、６０の間に中間棚板２５を着脱可能に装着する。その構成は前記第１実施形態と同じであって良く、分離本立て７（７′）と６０の左右両側板１１（６１）の外面に着脱可能に嵌め込んだ水平方向の線材製受け具２６に対して、中間棚板２５の左右両端面に水平の溝２７を背面端まで凹み形成し、この溝２７を前記線材製受け具２６に差し込むように、中間棚板２５を水平に押し込めばよい。なお、前記左右両側板１１（６１）の外面に前後それぞれ２箇所に支持ピン（図示せず）状の受け具を着脱可能に突出させ、この支持ピンに中間棚板２５を着脱可能に載置しても良い。また、前述のように一方の分離本立て７（７′）または６０を取外すか、もしくは２つの分離本立て７（７′）及び６０を下棚部４の片方に寄せ集め、もしくは他方の分離本立て６０または７（７′）を適宜左右に移動させ、当該分離本立て６０または７（７′）の側板１１（６１）と一方の主側板６との間に前記中間棚板２５を着脱可能に取付けすることもできる。
【００６６】
なお、これらの受け具２６を前記側板１１（６１）の高さの異なる箇所に取付け替え可能に装着すれば、中間棚板２５の取付け高さを変更可能とすることができる。また、前記受け具２６を前記側板１１の高さの異なる複数箇所に装着すれば、中間棚板２５を複数段に配置できる。
【００６７】
なお、下棚部４の少なくとも背板８（９）に対して、前記分離本立て７（７′）、６０をそれぞれ着脱可能に連結するための係合手段の他の実施例は、図２２〜図２８に示す。そのうち図２２〜図２４までの実施例は、前記第１実施形態における第２実施例（図１４）〜第５実施例（図１６、図１７参照）と同じである。従って、同じ符号を付して詳細な説明は省略する。そして、これらの実施例による作用・効果と同じく、前記分離本立て７（７′）、６０はそれぞれ、下棚部４に対して着脱可能であると共に、左右に配置替え可能になる。
【００６８】
図２５〜図２８に示す係合手段としての実施例は、前記分離本立て７（７′）、６０を下棚部４の前方向から着脱操作できるものであって、合成樹脂製等の第１受け具（係合体）６５は、前記背板８（９）の前面側に開口するように設けられた筒状（鬼目）ナット６７とピン孔６８とにネジ６６及び第１受け具６５に一体形成されたピン６５ａにて固定する。第１受け具６５の上端に形成された突起部６５ｂを、前記分離本立て７（７′）、６０の背面板１３（６３）の下端縁に形成された被係合部としての切欠き部１３ａに嵌めて支持する。
【００６９】
他方、合成樹脂製等の第２受け具（係合体）７０に一体的に形成された複数のピン７０ａは、下棚部４の主側板６の内面に穿設されたピン孔６ａに嵌まり、ネジ７１にて第２受け具７０内のナット７０ｂに螺着して位置固定される。前記分離本立て７（７′）、６０の側板１１（６１）の下端に切欠き形成された被係合部７２に前記第２受け具（係合体）７０が嵌まって支持され、且つ分離本立て７（７′）、６０が前後方向にずれない。
【００７０】
以上の第２実施形態の構成によれば、例えば、右利きの人と左利きの人とでは、机天板３上の物品や机天板３の下のワゴン状脇机の使い易い配置（使い勝手）が左右で異なることが多い。そのため、分離本立て７（７′）と６０の大きさや形態を非対称（同じでないもの）に形成して、下棚部４の左右位置に対する前記分離本立て７と６０との配置をユーザーの便利なように配置替えできるようにする。そのために、各分離本立て７を前記棚装置の背板９に対して着脱可能に係合する係合手段を備えたものである。そして、前記構成によれば、図１８及び図１９に示すように下棚部４の右端に配置した分離本立て６０と、左端に配置した分離本立て７（７′）との配置位置が逆になるように、分離本立て７（７′）と６０に収納している物品を入れ替えることなく、その収納されている物品ごと分離本立て７（７′）、６０の配置位置を左右に入れ替える作業が至極簡単にできる。
【００７１】
また、中間棚板２５を、前記分離本立て７と６０との間にて前記受け具２６等にて着脱可能に連結することにより、前述のように一方の分離本立て７（７′）または６０を取外すか、もしくは２つの分離本立て７（７′）及び６０を下棚部４の片方に寄せ集め、もしくは他方の分離本立て６０または７（７′）を適宜左右に移動させ、当該分離本立て６０または７（７′）の側板１１（６１）と一方の主側板６との間に前記中間棚板２５を着脱可能に取付けするというように、分離本立て６０または７（７′）と中間棚板２５との配置替え、もしくは中間棚板２６を除去した空間に、コンピュータ７５及び液晶などの表示装置７６をセットすることもできる（図２０参照）。このようにして、少ない構成部品の組み合わせであっても、机天板上の棚装置の使い勝手を向上させることができる。
【００７２】
なお、前記第１実施形態及び第２実施形態のいずれにおいても、分離本立て７（７′）及び６０の形態は本願発明の要旨を逸脱しないかぎり、種々の態様を採用することができる。また、任意にフック体１５を左右に２つ乃至３つ並設しても良い。さらに、前記第１実施形態及び第２実施形態のいずれにおいても、中間棚板２５は水平平板上に１乃至複数の縦仕切り板を備えた形態であっても良い。
【００７３】
また、前記図２６〜図２８に示す第１受け具６５や第２受け具７０の構成は前記第１実施形態における係合手段として利用することができる。
【００７４】
本発明は上記の実施形態の他にも様々に具体化できる。例えば、棚装置は複数のものを上下に接続する方式には限らず、分離不能な単一構造でも良い。下棚部４のみを使用しても良い。
【００７５】
また、灯具の具体的な形状も様々に設定できる。例えば、アームを屈曲自在な構造として、その先端にランプ部を設けても良い。ランプは直管状には限らず、白熱灯タイプとすることも可能である。また、灯具の支柱はブラケットを介して左右側板に固定することも可能であり、棚装置を机に固定しておく場合は、灯具の支柱を机の天板に固定しておいても良い。
【００７６】
さらに、本発明の棚装置１は、主側板６、３０、棚板３１、下棚板１０、分離本立て７（７′）、６０の主要部材を木材にて構成しても良い。
【図面の簡単な説明】
【００７７】
【図１】第１実施形態の下棚部と上棚部とを連結した状態の正面図である。
【図２】図２（ａ）は左側面図、図２（ｂ）は図１のIIb −IIb 線矢視断面図である。
【図３】図３（ａ）は図１の IIIa −IIIa線矢視断面図、図３（ｂ）は図１の IIIb −IIIb線矢視断面図である。
【図４】背面側の一部切欠き斜視図である。
【図５】分離本立ての背面側から見た斜視図である。
【図６】分離本立ての要部平面図である。
【図７】図６のVII −VII 線視一部切欠き側断面図である。
【図８】上棚分離本立てを除去し、分離本立の１つを外した状態の正面図である。
【図９】分離本立てを中途位置に配置した状態の正面図である。
【図１０】（ａ）は下棚板の追加状態を示す一部切欠き平面図、（ｂ）は図１０（ａ）のXb−Xb線矢視断面図である。
【図１１】第１実施形態の変形例の正面図である。
【図１２】係合手段の第２実施例の斜視図である。
【図１３】図１２のXIII−XIII線矢視断面図である。
【図１４】係合手段の第３実施例の斜視図である。
【図１５】係合手段の第４実施例の斜視図である。
【図１６】（ａ）は係合手段の第５実施例の斜視図、（ｂ）は一部切欠き平面図である。
【図１７】係合手段の第５実施例の変形例を示す一部切欠き平面図である。
【図１８】第２実施形態の正面図である。
【図１９】第２実施形態の平面図である。
【図２０】第２実施形態で分離本立ての配置替えした状態の平面図である。
【図２１】係合手段の第１実施例の斜視図である。
【図２２】係合手段の第２実施例の斜視図である。
【図２３】係合手段の第３実施例の斜視図である。
【図２４】係合手段の第４実施例の斜視図である。
【図２５】係合手段の第５実施例の断面図である。
【図２６】（ａ）は第１受け具の斜視図、（ｂ）は断面図である。
【図２７】第２受け具の斜視図である。
【図２８】（ａ）は第２受け具の側面図、（ｂ）は要部断面図である。
【符号の説明】
【００７８】
１  棚装置
３  机天板
４  下棚部
５  上棚部
６，３０  主側板
７，７′，６０    分離本立て
８，３２    上背板
９，３３    下背板
１０  下棚板
１１  側板
１４  抽斗
１５  フック体
１７，１７′  レール部
２５  中間棚板
４０  灯具
４１  固定支柱
４２  昇降支柱
４３  固定アーム
４４  可動アーム
４５  ランプ部
５０  凹部
５１，５６鬼目ナット
５２，５７ネジ
５３  開口部
５５  係合孔
【図１】
2005052296.tif 000003
【図２】
2005052296.tif 000004
【図３】
2005052296.tif 000005
【図４】
2005052296.tif 000006
【図５】
2005052296.tif 000007
【図６】
2005052296.tif 000008
【図７】
2005052296.tif 000009
【図８】
2005052296.tif 000010
【図９】
2005052296.tif 000011
【図１０】
2005052296.tif 000012
【図１１】
2005052296.tif 000013
【図１２】
2005052296.tif 000014
【図１３】
2005052296.tif 000015
【図１４】
2005052296.tif 000016
【図１５】
2005052296.tif 000017
【図１６】
2005052296.tif 000018
【図１７】
2005052296.tif 000019
【図１８】
2005052296.tif 000020
【図１９】
2005052296.tif 000021
【図２０】
2005052296.tif 000022
【図２１】
2005052296.tif 000023
【図２２】
2005052296.tif 000024
【図２３】
2005052296.tif 000025
【図２４】
2005052296.tif 000026
【図２５】
2005052296.tif 000027
【図２６】
2005052296.tif 000028
【図２７】
2005052296.tif 000029
【図２８】
2005052296.tif 000030